(57)【特許請求の範囲】
【請求項１】
多数の玉を連ねて形成される連の一端にフックを設け、そのフックを、連の他端側の任意の位置の玉間のくびれ部に掛けて連の一端を他端側に着脱自在に接続するようにしたネックレスであって、
前記フックは、弾性を有する素材の基端部に前記連の一端と連結される輪が形成され、自由端側が途中で曲げ戻されて前記くびれ部が入り込むふところが形成されるとともにこのふところの入口が閉ざされた状態になるように基端側の素材に寄り添わされた後外向きにほぼ９０°曲げられ、この入口が、前記くびれ部が通過するときは前記玉に押されることにより素材の弾性力に抗して開かれ、前記くびれ部が通過した後は素材の弾性復元力により閉じられるように構成され、且つ、前記素材において前記曲げ戻される部分の径が前記玉の径よりも小さくされる一方、前記自由端の先端に装飾体が取り付けられたことを特徴とするネックレス。
【請求項２】
前記素材は線材である請求項１に記載のネックレス。
【請求項３】
前記素材は板状体である請求項１に記載のネックレス。
【請求項４】
前記玉が真珠である請求項１乃至３のいずれか一つに記載のネックレス。
【発明の詳細な説明】
【０００１】
【発明の属する技術分野】
この発明は、真珠等の玉を多数連ねて形成される連タイプのネックレスに関する。
【０００２】
【従来の技術】
長さの短いネックレス、例えば、チョーカー、プリンセス、マチネ（これ等は主にパールネックレスで使用される長さの名称）は、ロープ・ネックレスのように頭からかぶって首に掛けることができない。このため、連（多数の玉を中に糸などを通してつないだもの）を直線状に形成し、その連の両端を着脱自在に接続するようにしている。
【０００３】
連の両端の接続は、種々の留め具を用いて行われる。
【０００４】
ネックチェーンの場合、留め具として引き輪とその輪に掛けるプレートなどが多用されているが、連タイプのネックレスは引き輪などを用いると継ぎ目が目立って装飾効果が損なわれることから、差込みクラスプ、中折れクラスプ、それ等のクラプスに装飾体を付けてデザイン上のポイントにし、継ぎ目をフロントやサイドにもってこれるようにしたものなどがよく用いられている。
【０００５】
いずれにしろ、従来用いられている留め具は、雌雄の留め金具が対をなすものであり、連の一端と他端にその雌雄の留め金具を取付けている。
【０００６】
【発明が解決しようとする課題】
既製品のネックレスはその長さが決まっている。例えば、パールネックレスＡの図８（ａ）に示すチョーカーは、その長さが約３５ｃｍ、同図（ｂ）のプリンセスはほぼ４０〜４３ｃｍ、同図（ｃ）のマチネは約５３ｃｍ、同図（ｄ）のオペラは約７１ｃｍである。チョーカーは図８（ａ）のように首もとにぴったりと沿い、プリンセス、マチネ、オペラの順にラインの位置が下がって身につけたときの印象がそれぞれに異なる。ところが、この印象は、使用者の体格や首の太さによって変わる。例えば、首の細い人がチョーカーを装着するとプリンセスに見え、プリンセスはマチネのような印象を与えることがある。また、逆に首の太い人がマチネをつけるとプリンセスのように見え、プリンセスはチョーカーのように見えることがある。
【０００７】
このように、使用者の体格や首の太さによって印象が変わると身につけた衣装との調和がとれなくなることがあり、好ましくない。
【０００８】
そこで、連タイプネックレスの長さ調節について検討した。長さを自由に調節できれば、首の太さの違いによる印象の変化を防止でき、また、ひとつのネックレスをいくつかの形態に使い分けることも可能になる。
【０００９】
ところが、従来の連タイプネックレスは、雌雄の留め金具を用いて連の両端を接続するので、長さを変化させることができない。
【００１０】
なお、ネックチェーンは、アジャスタ（これもチェーン）を付けて長さを調節可能となしたものがあるが、連タイプのネックレスの場合、ネックチェーン用のアジャスタは異和感が強く、美観を損なうため使用し難い。
【００１１】
そこで、この発明は、連タイプネックレスの長さ（環の長さ）調節を美観を損なわずに可能ならしめることを課題としている。
【００１２】
【課題を解決するための手段】
上記の課題を解決するため、この発明に係るネックレスは、多数の玉を連ねて形成される連の一端にフックを設け、そのフックを、連の他端側の任意の位置の玉間のくびれ部に掛けて連の一端を他端側に着脱自在に接続するようにしたネックレスであって、前記フックは、弾性を有する素材の基端部に前記連の一端と連結される輪が形成され、自由端側が途中で曲げ戻されて前記くびれ部が入り込むふところが形成されるとともにこのふところの入口が閉ざされた状態になるように基端側の素材に寄り添わされた後外向きにほぼ９０°曲げられ、この入口が、前記くびれ部が通過するときは前記玉に押されることにより素材の弾性力に抗して開かれ、前記くびれ部が通過した後は素材の弾性復元力により閉じられるように構成され、且つ、前記素材において前記曲げ戻される部分の径が前記玉の径よりも小さくされる一方、前記自由端の先端に装飾体が取り付けられたことを特徴とするものとしたのである。
【００１３】
このようにすると、フックを掛ける位置を変えて環の長さをくびれ部の配列ピッチと同一ピッチで多段階に自由に変化させることができる。
【００１４】
また、フックを連の長手途中に掛けたときには連の一部が環の外側に垂れ、デザインに変化が生じて斬新な感じを与える。
【００１５】
さらに、材料を曲げ加工するなどして得られるフックは作り易く、留め具に要するコストも低減できる。また、フックは、弾性を有する素材の基端部に前記連の一端と連結される輪が形成され、自由端側が途中で曲げ戻されて前記くびれ部が入り込むふところが形成されるとともにこのふところの入口が閉ざされた状態になるように基端側の素材に寄り添わされ、この入口が、前記くびれ部が通過するときは前記玉に押されることにより素材の弾性力に抗して開かれ、前記くびれ部が通過した後は素材の弾性復元力により閉じられるように構成されているから、くびれ部に掛けているときにフックが自然に外れることはまずない。
また、前記素材において前記曲げ戻される部分の径が前記玉の径よりも小さくされている。
さらに、前記素材は線材であっても、また、板状体であってもよい。
【００１６】
なお、使用する玉は真珠が好ましい。真珠は養殖技術が確立しているので入手し易く、しかも、万人に好まれる。また、真珠はほぼ真球であるのでフックの掛け外しもスムーズに行える。
【００１７】
フックに装飾体を取付けるのも好ましい。装飾体をつけると、フックが目立たなくなるのに加え、装飾体がデザイン上のポイントになり、ネックレスの華やかさが増す。
【００１８】
【発明の実施の形態】
図１及び図２に、この発明のネックレスの実施形態を示す。図のネックレスは、真珠１を用いたパールネックレスである。
【００１９】
糸２を真珠の中心にあけた小孔（図示せず）に通し、その糸２で多数の真珠１を一列につないで連３を構成している。糸２の一端は止め輪４で引留め、他端は外れ止め処理を施して連３の一端の真珠に接着したキャップ状の飾り金具５で覆い隠している。
【００２０】
なお、ここでは、体裁を良くするために止め輪４に銀の飾り玉６を吊り下げたが、飾り玉６は必須のものではない。
【００２１】
また、糸２は絹糸を用いたが、ナイロン糸やしなやかなワイヤーなどで代替してもよい。
【００２２】
飾り金具５は孔付きの金具であり、この金具５にフック７を取付けている。ここで用いたフック７は銀とリン青銅の合金で形成されたばね線材を加工して作られている。このフック７は、基端部に飾り金具５の孔にかける輪７ａを形成し、さらに、自由端側を途中で曲げ戻し、フックのふところの入口が閉ざされた状態になるように基端側の線材に寄り添わせた後、外向きにほぼ９０°曲げた形にしてある。
【００２３】
このフック７の素材は前述の銀の合金に限定されない。適度の弾性を有しているものであればよく、１８金や白金など他の貴金属をベースとするものや貴金属を含まないものなどであってもよい。また、その素材は板状のものであってもよく、線材に限定されない。
【００２４】
このフック７を、連３の他端側の真珠間のくびれ部８に掛けて連の接続を行い、連３を環にする。
【００２５】
フック７は、くびれ部８に掛け外しするとき、自由端が真珠１に押されて図３に示す入口７ｂが開く。そして、くびれ部８がふところの中に完全に入り込み、或いはふところの中から完全に抜け出ると曲げ戻し部７ｃの弾性復元力で入口７ｂが閉じる。従って、くびれ部８に掛けているときにフック７が自然に外れることは先ずない。
【００２６】
なお、フック７の自由端には、真珠をあしらった装飾体９をロウ付けして取付けている。図の装飾体は花模様であるが、図柄は任意に決めてよい。この装飾体９をフロントやサイドにもってくるとネックレスの華やかさが増す。
【００２７】
図２は、フック７を連３のくびれ部８に掛けた状態を示している。このように、フックを掛ける位置が連の他端からずれると、連３の一部が環の外側に垂れ下がり、斬新な感じが生まれる。
【００２８】
環の長さ調節は、くびれ部８の配列ピッチに合わせて多段階に行え、従って、使用者の首の太さがまちまちであっても、それぞれの使用者に合った大きさの環を形成して見栄えを良くすることができる。
【００２９】
なお、例示のネックレスは、全長をプリンセスとマチネの中間的な長さ（４８〜４９ｃｍ）にしており、首周りの寸法が標準的な人の場合、環の長さ調節により、チョーカー、プリンセス、マチネの３形態に使い分けることができる。
【００３０】
図４乃至図７は、この発明の参考例であって、いずれもフックの変形例を示している。
【００３１】
図４のフック１０は、市販品と同じ構造の引き輪であって、輪の内径を真珠１の玉径よりも小さくしてある。
【００３２】
図５のフック１１は、ばね（図示せず）の力で閉じた口をレバー１１ａを操作して開く、ポピュラーなフックである。
【００３３】
また、図６のフック１２は、中折れ式であり、半環状部材１２ａの先端に取付けた異極性の永久磁石１２ｂを吸着させて口の閉鎖状態を保つようにしてある。永久磁石１２ｂは、雌雄一対の係止具に置き代えてもよい。
【００３４】
図７のフック１３は、軟質樹脂（ポリエチレン、ナイロン等）製の紐１３ａを２つ折りにし、その紐の両端を面ファスナ１３ｂやそれに代わる磁石などで切り離し可能に連結するものを示している。
【００３５】
このように、連の他端側の玉間に掛けるフックは、種々の形態のものを利用できる。
【００３６】
【発明の効果】
以上述べたように、この発明のネックレスは、連の一端にふところの入口を開閉できるフックをつけ、そのフックを連の他端側の玉間のくびれ部に掛けるようにしたので、フックを掛ける位置を自由に変えて環の長さを調節することができ、首の太い人や細い人も、既製品を見栄えの良い形で使用することが可能になる。
【００３７】
また、連の両端をつないだときと、途中をつないだときとではデザインが異なり、同一ネックレスをデザインを変化させて楽しむこともできる。
【００３８】
このほか、フックが簡素で、簡単に、安価に作れる利点もある。
【００３９】
なお、フックの自由端に装飾体をつけたものは華やかさが増す。
【００４０】
また、連の長さ次第では、ひとつのネックレスを、チョーカー、プリンセス、マチネなどとして使い分けることも可能になる。
【図面の簡単な説明】
【図１】この発明のネックレスの実施形態を示す正面図
【図２】同上のネックレスの連の接続状態の一例を示す正面図
【図３】フックの係止状態を示す図
【図４】この発明の参考例であって、フックの他の例を示す図
【図５】同じくフックの更に他の例を示す図
【図６】同じくフックの更に他の例を示す図
【図７】同じくフックの更に他の例を示す図
【図８】パールネックレスの長さの名称を表す図であり、（ａ）はチョーカー、（ｂ）はプリンセス、（ｃ）はマチネ、（ｄ）はオペラを示す
【符号の説明】
１ 真珠
２ 糸
３ 連
４ 止め輪
５ 飾り金具
６ 飾り玉
７ フック
７ａ 輪
７ｂ 入口
７ｃ 曲げ戻し部
８ くびれ部
９ 装飾体
【図１】
0004338851.tif 000002
【図２】
0004338851.tif 000003
【図３】
0004338851.tif 000004
【図４】
0004338851.tif 000005
【図５】
0004338851.tif 000006
【図６】
0004338851.tif 000007
【図７】
0004338851.tif 000008
【図８】
0004338851.tif 000009